(57)【要約】  【課題】  好適な設定で意匠データを出力することができ、且つ、意匠データの格納に要するメモリ容量が従来に比較して減少し、製品全体として低コスト化することができる画像処理装置を提供すること。  【解決手段】  多機能周辺装置１によれば、意匠データメモリ１５ａに記憶される意匠データはＪＰＥＧデータで構成されるので、ｐｒｎデータで構成されていた従来の意匠データに比較して、意匠データのデータサイズが大きくなることを抑制できる。よって、意匠データの格納に要するメモリ容量が従来に比較して減少する。すなわち、ＥＥＰＲＯＭ１５に大容量のメモリを使用したり、意匠データを記憶させるためのメモリを別途設ける必要がない。その結果、製品全体を低コスト化することができる。  【選択図】    図１
2007030248.tif 000002
【特許請求の範囲】
【請求項１】
画像処理装置の出力特性を使用者等に視認させるためのデモ画像、画像処理装置の機能を示した機能案内リスト、または画像処理装置に関する消耗品や付属品を注文する際に使用するオーダーフォーム等の意匠に対応した意匠データを記憶する意匠データ記憶手段を備えた画像処理装置において、
前記意匠データ記憶手段に記憶される意匠データは不可逆圧縮データで構成され、
前記意匠データ記憶手段に記憶される意匠データを解凍する解凍手段と、
前記解凍手段により解凍された意匠データに関する出力の設定を示す出力設定情報を記憶する出力設定情報記憶手段と、
前記解凍手段により解凍された意匠データを、前記出力設定情報記憶手段に記憶された出力設定情報に従った設定で出力する出力手段とを備えたことを特徴とする画像処理装置。
【請求項２】
前記意匠データ記憶手段に記憶される意匠データは、ＪＰＥＧデータ、ＴＩＦＦデータ、ＰＤＦデータのいずれかで構成されることを特徴とする請求項１記載の画像処理装置。
【請求項３】
前記意匠データ記憶手段および前記出力設定情報記憶手段の少なくとも一方は、書き換え可能な不揮発性のメモリで構成されることを特徴とする請求項１または２に記載の画像処理装置。
【請求項４】
前記意匠データ記憶手段は、複数の意匠にそれぞれ対応する複数の意匠データを記憶し、前記出力設定情報記憶手段は、前記複数の意匠データのそれぞれのヘッダに相当する領域に出力設定情報を記憶するものであり、
前記出力手段は、前記解凍手段により解凍された意匠データを、前記解凍された意匠データのヘッダに相当する領域に記憶されていた出力設定情報に従った設定で出力するものであることを特徴とする請求項１から３のいずれかに記載の画像処理装置。
【請求項５】
前記意匠データ記憶手段は、複数の意匠にそれぞれ対応する複数の意匠データを記憶し、前記出力設定情報記憶手段は、前記複数の意匠データの出力に関して共通に用いられる出力設定情報を記憶するものであって、
前記出力手段は、前記複数の意匠データのそれぞれを、前記出力設定情報記憶手段に記憶された共通の出力設定情報に従った設定で出力することを特徴とする請求項１から３のいずれかに記載の画像処理装置。
【請求項６】
前記意匠を記録媒体上に印刷可能な印刷手段を備え、
前記出力手段は、前記解凍手段により解凍された意匠データを出力することにより、前記印刷手段に、前記意匠を前記記録媒体上に印刷させるものであって、
前記出力設定情報記憶手段は、前記出力設定情報として、前記記録媒体の厚さ選択、前記記録媒体の種類選択、前記記録媒体のサイズ選択、印刷解像度選択、液滴量選択、余白設定、トレイ選択、赤色補正、緑色補正、青色補正、コントラスト補正、明るさ補正、原色数、階調数、印刷方向の少なくとも１つに関する情報を記憶するものであることを特徴とする請求項１から５のいずれかに記載の画像処理装置。
【請求項７】
前記意匠を表示可能な表示手段を備え、
前記出力手段は、前記解凍手段により解凍された意匠データを出力することにより、前記表示手段に、前記意匠を表示させるものであって、
前記出力設定情報記憶手段は、前記出力設定情報として、データ画素数Ｘ座標、データ画素数Ｙ座標、回転角度、赤色補正、緑色補正、青色補正、コントラスト補正、明るさ補正、原色数、階調数の少なくとも１つに関する情報を記憶するものであることを特徴とする請求項１から５のいずれかに記載の画像処理装置。
【発明の詳細な説明】
【技術分野】
【０００１】
本発明は画像処理装置に関するものである。
【背景技術】
【０００２】
従来より、店頭にて印刷装置の性能をアピールするために、販売員等が印刷装置のデモンストレーション印刷をする場合がある。そのために、印刷装置のＲＯＭ内には、予めデモンストレーション印刷用の画像データが格納されており、店頭での製品説明時には、販売員が所定のキーを操作することにより、ＲＯＭ内に予め格納された画像データを出力し、デモンストレーション印刷を行っていた（例えば、特許文献１参照）。また、デモンストレーション印刷用の画像データの他にも、その印刷装置の機能を示す機能案内リストや、その画像処理装置に関する消耗品などを注文する際に使用するオーダーフォームを印刷するための画像データを、予めＲＯＭ内に格納しておくことが行われていた。これにより例えば、印刷装置の使用者は、機能案内リストを印刷すれば、説明書を見ずともその印刷装置の機能を確認することができ、また、オーダーフォームを印刷して使用することにより、消耗品などを手軽に注文することができる。このように、印刷装置に予め記憶させておく画像データは、例えば、意匠データと称される。これら意匠データを、製品出荷時に予めＲＯＭ内に記憶させておけば、販売員や使用者が所定のキーを操作することにより、デモ画像、機能案内リスト、オーダーフォームを容易に得ることができる。
【０００３】
図７に意匠データに基づいて印刷される各種意匠の一例を示す。図７（ａ）は、デモンストレーション印刷用の画像（以下、デモ画像と称する）の一例を示す図である。図７（ａ）に示されるように、デモ画像には、例えば、写真など比較的複雑な構成のカラー画像が含まれる。よって、印刷されたデモ画像を見た客は、印刷装置の出力特性を視覚的に認識することができる。また、図７（ｂ）は、機能案内リストの一例を示す図である。機能案内リストには、例えば、印刷装置の機能とその機能に対応したキー操作がリスト表示されているので、印刷装置を購入した使用者は、印刷装置の機能とその操作方法を知ることができる。また、図７（ｃ）は、オーダーフォームの一例を示す図である。オーダーフォームには、消耗品や付属品を注文する際に必要な事項が記入できるように構成されている。よって、オーダーフォームを印刷し、そのオーダーフォームに必要事項を記入することにより、消耗品や付属品を簡単に注文することができる。
【特許文献１】特開平６−２３３０１９号公報
【発明の開示】
【発明が解決しようとする課題】
【０００４】
しかしながら、これらの意匠データは、通常ｐｒｎデータとしてＲＯＭ内に保存されている。ｐｒｎデータは、「記録媒体（厚さ）選択」、「記録媒体（種類）選択」、「記録媒体サイズ選択」、「印刷解像度選択」、「液滴量選択」、「余白設定」、「トレイ選択」などの各種記録設定情報を含む、印刷用のイメージデータファイルである。印刷装置は、ｐｒｎデータに含まれる記録設定情報に従った設定で、デモ画像などの各種意匠を印刷することができる。しかし、ｐｒｎデータはデータサイズが比較的大きい形式のデータなので、一つ一つの意匠データの容量が大きくなる。したがって、複数種類の意匠データを格納するためには、ＲＯＭを大容量のものとするか、意匠データ専用のＲＯＭを別途設けなければならないので、製品全体としてのコストの上昇を招いていたという問題点があった。
【０００５】
このような問題点を解決するために、ｐｒｎデータよりもデータサイズが小さい形式のデータで意匠データを構成することも考えられるが、ｐｒｎデータ以外の形式のデータは、通常、上述したような記録設定情報を含まない。よって、ｐｒｎデータ以外のデータで意匠データを構成すると、意匠データをデフォルトの設定でしか印刷することができず、好適な設定で各種意匠を印刷することができないという不都合が生じる。例えば、写真などの画像を含むためデモ画像はカラー印刷したいが、文字を多く含む機能案内リスト、オーダーフォームはモノクロ印刷したい、との要求がある場合においても、これら意匠データが全て同じデフォルトの設定で印刷されることとなるので、満足のいく印刷結果が得られない。
【０００６】
更に、意匠データの記録設定を適宜変更したい場合がある。例えば、印刷装置の性能に対する要求として、印刷速度に関する要求が特に高い地域では、店頭における製品のデモンストレーション印刷時、印刷解像度や画質を落としてでも印刷速度を上げて、印刷スピードの点から印刷装置の性能を客にアピールすることが望ましい。しかし、ｐｒｎデータは、データ構造が複雑であるため、容易に記録設定情報を変更することができない。したがって、印刷装置の販売地域や客層、または印刷装置の使用者等に応じて臨機応変に記録設定情報を変更することができず、その結果、好適な設定で意匠データを印刷させることができないという問題点があった。
【０００７】
本発明は上述した問題点を解決するためになされたものであり、好適な設定で意匠データを出力することができ、且つ、意匠データの格納に要するメモリ容量が従来に比較して減少し、製品全体として低コスト化することができる画像処理装置を提供することを目的としている。
【課題を解決するための手段】
【０００８】
この目的を達成するために、請求項１記載の画像処理装置は、画像処理装置の出力特性を使用者等に視認させるためのデモ画像、画像処理装置の機能を示した機能案内リスト、または画像処理装置に関する消耗品や付属品を注文する際に使用するオーダーフォーム等の意匠に対応した意匠データを記憶する意匠データ記憶手段を備えたものであって、前記意匠データ記憶手段に記憶される意匠データは不可逆圧縮データで構成され、前記意匠データ記憶手段に記憶される意匠データを解凍する解凍手段と、前記解凍手段により解凍された意匠データに関する出力の設定を示す出力設定情報を記憶する出力設定情報記憶手段と、前記解凍手段により解凍された意匠データを、前記出力設定情報記憶手段に記憶された出力設定情報に従った設定で出力する出力手段とを備える。
【０００９】
請求項２記載の画像処理装置は、請求項１記載の画像処理装置において、前記意匠データ記憶手段に記憶される意匠データは、ＪＰＥＧデータ、ＴＩＦＦデータ、ＰＤＦデータのいずれかで構成される。
【００１０】
請求項３記載の画像処理装置は、請求項１または２に記載の画像処理装置において、前記意匠データ記憶手段および前記出力設定情報記憶手段の少なくとも一方は、書き換え可能な不揮発性のメモリで構成される。
【００１１】
請求項４記載の画像処理装置は、請求項１から３のいずれかに記載の画像処理装置において、前記意匠データ記憶手段は、複数の意匠にそれぞれ対応する複数の意匠データを記憶し、前記出力設定情報記憶手段は、前記複数の意匠データのそれぞれのヘッダに相当する領域に出力設定情報を記憶するものであり、前記出力手段は、前記解凍手段により解凍された意匠データを、前記解凍された意匠データのヘッダに相当する領域に記憶されていた出力設定情報に従った設定で出力するものである。
【００１２】
請求項５記載の画像処理装置は、請求項１から３のいずれかに記載の画像処理装置において、前記意匠データ記憶手段は、複数の意匠にそれぞれ対応する複数の意匠データを記憶し、前記出力設定情報記憶手段は、前記複数の意匠データの出力に関して共通に用いられる出力設定情報を記憶するものであって、前記出力手段は、前記複数の意匠データのそれぞれを、前記出力設定情報記憶手段に記憶された共通の出力設定情報に従った設定で出力するものである。
【００１３】
請求項６記載の画像処理装置は、請求項１から５のいずれかに記載の画像処理装置において、前記意匠を記録媒体上に印刷可能な印刷手段を備え、前記出力手段は、前記解凍手段により解凍された意匠データを出力することにより、前記印刷手段に、前記意匠を前記記録媒体上に印刷させるものであって、前記出力設定情報記憶手段は、前記出力設定情報として、前記記録媒体の厚さ選択、前記記録媒体の種類選択、前記記録媒体のサイズ選択、印刷解像度選択、液滴量選択、余白設定、トレイ選択、赤色補正、緑色補正、青色補正、コントラスト補正、明るさ補正、原色数、階調数、印刷方向の少なくとも１つに関する情報を記憶するものである。
【００１４】
請求項７記載の画像処理装置は、請求項１から５のいずれかに記載の画像処理装置において、前記意匠を表示可能な表示手段を備え、前記出力手段は、前記解凍手段により解凍された意匠データを出力することにより、前記表示手段に、前記意匠を表示させるものであって、前記出力設定情報記憶手段は、前記出力設定情報として、データ画素数Ｘ座標、データ画素数Ｙ座標、回転角度、赤色補正、緑色補正、青色補正、コントラスト補正、明るさ補正、原色数、階調数の少なくとも１つに関する情報を記憶するものである。
【発明の効果】
【００１５】
請求項１記載の画像処理装置によれば、意匠データ記憶手段に記憶される意匠データは不可逆圧縮データで構成されるので、意匠データのデータサイズが大きくなることを抑制できる。よって、意匠データの格納に要するメモリ容量が従来に比較して減少し、製品全体を低コスト化することができるという効果がある。
【００１６】
また、解凍された意匠データを、出力設定情報記憶手段に記憶された出力設定情報に従った設定で出力するので、不可逆圧縮データで構成される意匠データであっても、好適な設定で出力することができるという効果がある。
【００１７】
請求項２記載の画像処理装置によれば、請求項１記載の画像処理装置の奏する効果に加え、前記意匠データ記憶手段に記憶される意匠データは、ＪＰＥＧデータ、ＴＩＦＦデータ、ＰＤＦデータのいずれかで構成されるので、意匠データをｐｒｎデータにより構成していた従来に比較して、意匠データのデータサイズを小さくすることができる。よって、意匠データの格納に要するメモリ容量が減少し、製品全体を低コスト化することができるという効果がある。
【００１８】
請求項３記載の画像処理装置によれば、請求項１または２に記載の画像処理装置の奏する効果に加え、前記意匠データ記憶手段および前記出力設定情報記憶手段の少なくとも一方は、書き換え可能な不揮発性のメモリで構成されているので、意匠データおよび出力設定情報の少なくとも一方を適宜書き換えることができるという効果がある。意匠データを書き換えることにより、例えば、デモ画像を流行に合わせて変更したり、機能案内リストやオーダーフォームに変更や修正を施すことが容易にできる。また、例えば、画像処理装置の販売地域や客層に応じて臨機応変に出力設定情報を書き換えることにより、使用状況に応じた好適な設定で意匠データを出力することができる。
【００１９】
請求項４記載の画像処理装置によれば、請求項１から３のいずれかに記載の画像処理装置の奏する効果に加え、前記出力手段は、前記解凍手段により解凍された意匠データを、前記解凍された意匠データのヘッダに相当する領域に記憶されていた出力設定情報に従った設定で出力するので、複数の意匠データを、それぞれの意匠データに対応した出力設定情報に従った設定で出力することができ、より好適な設定で各意匠データを出力することができるという効果がある。例えば、画像処理装置の出力特性を使用者等に認識させるためのデモ画像は、カラーで出力したいが、大部分が文字から構成される機能案内リストやオーダーフォームはモノクロで出力したいなど、各意匠データにとって、用途に合った好ましい設定が要求される場合がある。したがって、予め意匠データのヘッダに相当する領域にそれぞれ出力設定情報を記憶させておくことにより、好ましい出力設定情報で各意匠データを出力することができる。
【００２０】
請求項５記載の画像処理装置によれば、請求項１から３のいずれかに記載の画像処理装置の奏する効果に加え、前記出力手段は、前記複数の意匠データのそれぞれを、前記出力設定情報記憶手段に記憶された共通の出力設定情報に従った設定で出力するので、出力設定情報の格納に要するメモリ容量を少なくすることができ、製品全体を低コスト化することができるという効果がある。
【００２１】
請求項６記載の画像処理装置によれば、請求項１から５のいずれかに記載の画像処理装置の奏する効果に加え、前記出力設定情報記憶手段は、前記出力設定情報として、前記記録媒体の厚さ選択、前記記録媒体の種類選択、前記記録媒体のサイズ選択、印刷解像度選択、液滴量選択、余白設定、トレイ選択、赤色補正、緑色補正、青色補正、コントラスト補正、明るさ補正、原色数、階調数、印刷方向の少なくとも１つに関する情報を記憶するので、これらの出力設定情報を含まない意匠データであっても、好適な設定で印刷させることができるという効果がある。
【００２２】
請求項７記載の画像処理装置によれば、請求項１から５のいずれかに記載の画像処理装置の奏する効果に加え、前記出力設定情報記憶手段は、前記出力設定情報として、データ画素数Ｘ座標、データ画素数Ｙ座標、回転角度、赤色補正、緑色補正、青色補正、コントラスト補正、明るさ補正、原色数、階調数の少なくとも１つに関する情報を記憶するので、これらの出力設定情報を含まない意匠データであっても、好適な設定で表示させることができるという効果がある。
【発明を実施するための最良の形態】
【００２３】
以下、本発明の好ましい第１実施例について、添付図面を参照して説明する。本第１実施例は、画像処理装置の一形態である多機能周辺装置を用いて説明する。この多機能周辺装置は、ファクシミリ装置にプリンタとしての機能を付加した装置であり、ファクシミリ装置としての機能とプリンタとしての機能とを兼ね備えている。即ち、このプリンタ機能付きファクシミリ装置は、受信されたファクシミリデータの印刷のみならず、パーソナルコンピュータから入力されたプリントデータをも印刷することができる多機能周辺装置である。
【００２４】
図１は、第１実施例の多機能周辺装置１と、多機能周辺装置１に接続されたパーソナルコンピュータ３５（以下、ＰＣ３５という）との電気的構成を示したブロック図である。図１に示すように、多機能周辺装置１には、ＣＰＵ１２、ＲＯＭ１３、ＲＡＭ１４、ＥＥＰＲＯＭ１５、画像メモリ１７、音声ＬＳＩ１８、ネットワーク・コントロール・ユニット（以下単に「ＮＣＵ」と称す）１９、受話器３、モデム２０、バッファ２１、スキャナ２２、符号化部２３、復号化部２４、プリンタ２５、操作パネル４、ＬＣＤ５、アンプ２７、インターフェース３０ａが設けられ、これらはバスライン２９を介して互いに接続されている。
【００２５】
受話器３は、非通話時には多機能周辺装置１に設けられた図示しないフック上に置かれ、通話時にはフックから取り上げられて使用される。前者をオンフック状態、後者をオフフック状態と称する。また、多機能周辺装置１の上面前部には、操作パネル４と液晶表示器（ＬＣＤ）５が設けられる。操作パネル４は、数値や文字などを入力する入力キーやコマンドを入力するコマンド入力キーなどの複数のキー（図示せず）を備える。ＬＣＤ５は、多機能周辺装置１により実行される処理や、多機能周辺装置１と接続されているＰＣ３５、或いは電話回線２６を介して接続されている相手側装置との通信状態を表示する表示器であり、タッチパネルで構成されている。多機能周辺装置１が、操作パネル４上に設けられた各コマンド入力キーにより操作されると、その操作状態や操作手順などはこのＬＣＤ５へ表示される。
【００２６】
ＮＣＵ１９は回線制御を行うためのものであり、多機能周辺装置１はこのＮＣＵ１９を介して電話回線２６に接続されている。ＮＣＵ１９は、交換機から送信される呼出信号や各種信号を受信するとともに、後述する操作パネル４上の入力キーの操作に応じた発信時のダイヤル信号を交換機へ送信したり、電話回線２６の閉結時において、アナログ音声信号や、ファクシミリデータの送受信を行うものである。
【００２７】
ＣＰＵ１２は、ＮＣＵ１９を介して送受信される各種信号に従って、バスライン２９により接続された各部を制御し、ファクシミリ動作や電話動作などのデータ通信を実行するものである。ＲＯＭ１３は、この多機能周辺装置１で実行される制御プログラム等を格納した書換不能なメモリであり、図２および図３のフローチャートに示すプログラムは、このＲＯＭ１３内に格納されている。
【００２８】
制御プログラムは、多機能周辺装置１で実行されるファクシミリ動作や電話動作あるいは、ＰＣ３５とのデータ通信動作を制御するためのプログラムである。本第１実施例の制御プログラムにおいては、かかる制御を行うプログラムとして、特に、デモ画像や機能案内リスト、またはオーダーフォームなど各種意匠の印刷を行う意匠印刷処理（図２参照）のプログラムが備えられている。ＲＡＭ１４は、各種のデータを一時的に記憶するためのメモリである。
【００２９】
ＥＥＰＲＯＭ１５は、書換可能な不揮発性のメモリであり、このＥＥＰＲＯＭ１５へ記憶されたデータは電源オフ後も保持される。ＥＥＰＲＯＭ１５は、主に使用者によって設定或いは登録される各種のデータや、製品の出荷時に予め設定される各種のデータ、或いは各種設定値を不揮発に記憶しておくためのメモリであり、意匠データメモリ１５ａと記録設定情報メモリ１５ｂを備えている。多機能周辺装置１は、所定の操作によりＬＣＤ５に各種のデータや設定値を入力するための入力画面を表示させることができる。
【００３０】
意匠データメモリ１５ａは、複数の意匠データを記憶するメモリである。この意匠データメモリ１５ａに格納される複数の意匠データは、製品の出荷時に予めＥＥＰＲＯＭ１５に格納される。本第１実施例においては、多機能周辺装置１の出力特性を使用者等に視認させるためのデモ画像（図７（ａ）参照）、多機能周辺装置１の機能を示した機能案内リスト（図７（ｂ）参照）、多機能周辺装置１に関する消耗品や付属品を注文する際に使用するオーダーフォーム（図７（ｃ）参照）等の意匠に対応した意匠データが記憶される。なお、意匠データメモリ１５ａに格納される意匠データは、不可逆圧縮データであるＪＰＥＧデータで構成される。後述する意匠印刷処理（図２）において説明するように、使用者が操作パネル４において所定の操作をすることにより、その操作に対応した意匠データが読み出され、解凍されてプリンタ２５へ出力される。
【００３１】
記録設定情報メモリ１５ｂは、意匠データの出力に関して共通して用いられる記録設定情報（請求項の出力設定情報に相当）を記憶しておくためのメモリである。後述する意匠印刷処理（図２参照）における意匠データの出力時には、この記録設定情報メモリ１５ｂに記憶されている記録設定情報が読み出され、読み出された記録設定情報に基づいた設定で、意匠データが出力される。
【００３２】
ここで「記録設定情報」とは、意匠データに関する出力の設定を示す情報であって、具体的には、記録媒体（記録用紙）の厚さ選択、記録媒体の種類選択、記録媒体のサイズ選択、印刷解像度選択、液滴量選択、余白設定、トレイ選択、赤色補正、緑色補正、青色補正、コントラスト補正、明るさ補正、原色数、印刷方向に関する情報である。記録設定情報メモリ１５ｂには、これらの情報から構成される一組の記録設定情報が記憶されている。
【００３３】
「記録媒体の厚さ選択」、「記録媒体の種類選択」、「記録媒体のサイズ選択」とは、意匠データの出力の際にプリンタ２５において選択される記録媒体の厚さ、種類、サイズを示す情報である。また、「印刷解像度選択」、「液滴量選択」とは、意匠データの出力の際にプリンタ２５において選択される印刷解像度、および液滴量を示す情報である。「余白設定」とは、意匠データの出力の際に設定されるべき余白量を示す情報である。「トレイ選択」とは、意匠データの出力の際にプリンタ２５において、いずれのトレイの記録媒体が選択されるべきかを示す情報である。「赤色補正」、「緑色補正」、「青色補正」、「コントラスト補正」、「明るさ補正」とは、プリンタ２５における印刷に先立って、意匠データに色補正処理を行う際に使用されるパラメータに相当する情報である。「原色数」とは、意匠データの出力の際に、プリンタ２５において使用されるインク（またはトナー）の種類数に相当する値である。例えば、プリンタ２５がシアン、ライトシアン、マゼンタ、ライトマゼンタ、イエロー、ブラックの６色のインクを使用可能である場合において、「原色数」として６が設定されていれば、意匠データの出力の際には、６種類の全てのインクを用いて印刷がされる。「階調数」とは、意匠データの階調数に相当する情報であり、濃淡のある画像に使用される情報である。「印刷方向」とは、意匠データの出力の際に、プリンタ２５において、印字ヘッド（図示せず）の往方向および復方向共にインクを吐出させることにより高速印刷可能な双方向印刷制御か、または、印字ヘッドの往方向または復方向いずれか一方のみインクを吐出させることにより高画質で印刷可能な片方向印刷の、いずれの方式で印刷するかを示す情報である。
【００３４】
これらの記録設定情報は、印刷に必要な設定情報であるが、意匠データ（ＪＰＥＧデータ）には含まれていない。したがって、記録設定情報メモリ１５ｂに、意匠データの出力に好適な記録設定情報を予め記憶させておき、後述する意匠印刷処理（図２参照）において読み出すことにより、印刷に必要な設定情報を含まない意匠データであっても、好適な設定で印刷することができる。
【００３５】
画像メモリ１７は、画像データ（イメージデータ）を記憶するためのメモリであり、大容量のＤＲＡＭで構成されている。多機能周辺装置１において、ファクシミリデータが受信されると、そのファクシミリデータは、一旦、この画像メモリ１７に記憶された後、プリンタ２５が正常に稼働する状態にあればプリンタ２５へ出力されて記録される。出力されたファクシミリデータは、プリンタ２５によって記録媒体に印刷された後に、画像メモリ１７から消去される。ファクシミリデータが画像データである場合、一般に、そのデータ量は大容量であるが、ファクシミリデータが印刷されることを条件にそのファクシミリデータを消去しているので、画像メモリ１７を有効に使用することができる。
【００３６】
音声ＬＳＩ１８は、ＮＣＵ１９によって受信されたアナログ音声信号をデジタル音声信号に変換するとともに、この多機能周辺装置１の内部で生成されたデジタル音声信号をアナログ音声信号に変換してＮＣＵ１９に出力するものである。モデム２０は、画像データやメールデータを変調および復調して伝送するとともに伝送制御用の各種手順信号を送受信するものである。バッファ２１は、他のファクシミリ装置との間で送受信される符号化されたファクシミリデータやスキャナ２２により読み取られた原稿の画像データを一時的に格納するものである。
【００３７】
スキャナ２２は原稿挿入口（図示せず）に挿入された原稿の画像を読み取るためのものであり、符号化部２３はスキャナ２２により読み取られた原稿画像の符号化を行うものである。復号化部２４は、バッファ２１に記憶された受信したデータを読み出して、これを複合化するものであり、複合化されたデータは、プリンタ２５により記録媒体に印刷される。操作パネル４は、上記したように操作者がこの多機能周辺装置１の設定等の各種の操作を行うためのものである。アンプ２７は、そのアンプ２７に接続されたスピーカ２８を鳴動して、呼出音などを出力するためのものである。
【００３８】
プリンタ２５は、複数のノズル、アクチュエータを備えたインクジェットヘッド（図示せず）を有し、アクチュエータの駆動によってインクをノズルから噴射して、記録媒体上に所定の文字又は模様を印刷するものである。プリンタ２５において、インクジェットヘッドを装着したキャリッジ（図示せず）は、記録媒体の搬送方向に対して直交方向に、キャリッジの初期位置である始点と、該始点とは反対側の限界位置である終点との間を往復移動させることにより、印刷動作を行う。なお、プリンタ２５は、複数枚の記録媒体を積層収納可能なトレイ（図示せず）から供給される記録媒体上に印刷する。
【００３９】
インターフェース３０ａは、多機能周辺装置１とＰＣ３５とを接続するためのものである。多機能周辺装置１は、インターフェイス３０ａに接続されたケーブル３０ｂを介してＰＣ３５と接続される。なお、多機能周辺装置１とＰＣ１０との接続は、ケーブル３０ｂを利用するものに限られず、電波や赤外線を利用して無線で接続されるものであっても良い。
【００４０】
ＰＣ３５は、パーソナルコンピュータで構成され、多機能周辺装置１との間でデータ通信を実行する装置である。ＰＣ３５は、ＰＣ３５の有する（入力された）データを多機能周辺装置１へ送信することができ、また、多機能周辺装置１から送信されるデータを受信してそのデータに対する処理を実行することができるようになっている。
【００４１】
このＰＣ３５は、ＣＰＵ３６、ＲＯＭ３７、ＲＡＭ３８、ハードディスク３９、入出力ポート４１、キーボード４２、ＬＣＤ４３、インターフェース３０ｃを備えている。ＣＰＵ３６はＲＯＭ３７に記憶される固定値やプログラム或いはインターフェース３０ｃを介して送受信される各種信号に基づいて、バスライン４０により接続される各部を制御するものである。ＲＯＭ３７は、ＰＣ３５で実行される制御プログラム等を格納した書換不能なメモリである。ＲＡＭ３８は、各種のデータを一時的に記憶するためのメモリである。
【００４２】
ハードディスク３９は書き換え可能な不揮発性のメモリであり、必要に応じてインストールされるプログラムや、各種データを記憶しておくためのメモリである。具体的には、このハードディスク３９には、例えば、後述する記録設定情報変更処理（図３参照）を実行するためのプログラムや、多機能周辺装置１の意匠データメモリ１５ａに格納される意匠データおよび記録設定情報メモリ１５ｂに格納される記録設定情報のバックアップデータが格納される。
【００４３】
キーボード４２は文字を入力する入力装置となっており、このキーボード４２に備えられた各キーが押下されることにより、各キーに対応付けられた文字などが入力される。入力された文字はＬＣＤ４３に表示される。
【００４４】
インターフェース３０ｃは、多機能周辺装置１に搭載されるインターフェース３０ａと同じ規格のインターフェースであり、このインターフェース３０ｃにより、ＰＣ３５は多機能周辺装置１と接続される。これによりＰＣ３５は、多機能周辺装置１との間でデータを送受信することができる。
【００４５】
図１に示すように、上記したＣＰＵ３６、ＲＯＭ３７、ＲＡＭ３８はバスライン４０を介して互いに接続されており、バスライン４０はまた入出力ポート４１に接続されている。この入出力ポート４１は、バスライン４０の他にハードディスク３９、キーボード４２、ＬＣＤ４３、インターフェース３０ｃに接続されている。
【００４６】
図２を参照して、意匠印刷処理について説明する。図２は、第１実施例の意匠印刷処理を示すフローチャートである。意匠印刷処理は、意匠データメモリ１５ａに格納された意匠データをプリンタ２５に出力することにより、デモ画像（図７（ａ）参照）、機能案内リスト（図７（ｂ）参照）、オーダーフォーム（図７（ｃ）参照）などの各種意匠を、記録媒体上に印刷させる処理である。図２に示すように、意匠印刷処理においては、まず、意匠データの出力が指示されたか否かを判断する（Ｓ２）。具体的には、操作パネル４（図１参照）において、各種意匠に対応して予め定められた入力キーにおいて、所定の入力操作がされたか否かを判断する。
【００４７】
意匠データの出力が指示された場合（Ｓ２：Ｙｅｓ）、出力指示がされた意匠データを意匠データメモリ１５ａから読み出し、解凍する（Ｓ４）。すなわち、意匠データメモリ１５ａに記憶される意匠データは、不可逆圧縮データであるＪＰＥＧデータであるため、解凍するのである。
【００４８】
次に、記録設定情報メモリ１５ｂから記録設定情報を読み出し、その読み出した記録設定情報を参照して、印刷コマンドを発行する（Ｓ６）。上述のように、記録設定情報には、記録媒体（記録用紙）の厚さ選択、記録媒体の種類選択、記録媒体のサイズ選択、印刷解像度選択、液滴量選択、余白設定、トレイ選択、赤色補正、緑色補正、青色補正、コントラスト補正、明るさ補正、原色数、印刷方向、階調数が含まれるため、これらの記録設定情報に基づいて、印刷コマンドが発行される。
【００４９】
次に、解凍された意匠データをプリンタ２５に出力し、印刷コマンドに従って印刷させ、処理を終了する（Ｓ８）。具体的には、記録設定情報に従って発行された印刷コマンドに従って、拡大または縮小処理、色補正処理、色変換処理、ハーフトーン処理などの各種処理が、解凍された意匠データに対して施される。なお、これらの処理については公知であるため、詳細な説明は省略する。また、記録設定情報に従って発行された印刷コマンドに従って、プリンタ２５においてトレイ、印刷解像度、液滴量が選択され、印刷が行われる。
【００５０】
上述のように、多機能周辺装置１によれば、意匠データメモリ１５ａに記憶される意匠データは不可逆圧縮データ（ＪＰＥＧデータ）で構成されるので、ｐｒｎデータで構成されていた従来の意匠データに比較して、意匠データのデータサイズが大きくなることを抑制できる。具体的には、従来のｐｒｎデータでは１つの意匠データのデータサイズが、例えば４Ｍバイト程度であったところを、ＪＰＥＧデータでは１つの意匠データのデータサイズを、例えば６００Ｋバイト程度にすることができる。よって、意匠データの格納に要するメモリ容量が従来に比較して減少する。すなわち、ＥＥＰＲＯＭ１５に大容量のメモリを使用したり、意匠データを記憶させるためのメモリを別途設ける必要がない。その結果、製品全体を低コスト化することができる。これに対し、従来では、意匠データをｐｒｎデータで構成していたので、意匠データを格納するためのメモリに大容量のものを使用したり、意匠データを格納するためのメモリを別途設けなければならないという不都合があったのである。
【００５１】
また、解凍された意匠データを、記録設定情報メモリ１５ｂに記憶された記録設定情報に従った設定で出力するので、記録設定情報を有さない不可逆圧縮データ（ＪＰＥＧデータ）で構成される意匠データであっても、ｐｒｎデータで構成された従来の意匠データと同様に、好適な設定で出力することができる。
【００５２】
また、複数の意匠データのそれぞれを、記録設定情報メモリ１５ｂに記憶された共通の出力設定情報に従った設定で出力するので、記録設定情報の格納に要するメモリ容量を少なくすることができ、製品全体を低コスト化することができる。
【００５３】
図３を参照して、記録設定情報変更処理について説明する。図３は、第１実施例の記録設定情報変更処理を示すフローチャートである。記録設定情報変更処理は、ＰＣ３５において実行される処理であって、多機能周辺装置１の記録設定情報メモリ１５ｂに記憶された記録設定情報を書き換えるための処理である。なお、ＰＣ３５のハードディスク３９には、記録設定情報メモリ１５ｂに記憶された記録設定情報のバックアップデータが格納されている。記録設定情報変更処理では、ハードディスク３９に格納された記録設定情報（バックアップデータ）を読み出し、変更する。そして、その変更した記録設定情報を多機能周辺装置１に出力して、記録設定情報メモリ１５ｂに格納された記録設定情報を書き換える。
【００５４】
図３に示すように、記録設定情報変更処理では、まず、記録設定情報に対し変更が指示されたかを判断する（Ｓ１２）。具体的には、ＰＣ３５のキーボード４２から所定の入力操作がされたか否かを判断する。
【００５５】
次に、ハードディスク３９に格納された記録設定情報（バックアップデータ）を読み出す（Ｓ１４）。そして、キーボード４２からの入力操作にしたがって、読み出した記録設定情報の少なくとも一部を変更する（Ｓ１６）。次に、変更した記録設定情報を、多機能周辺装置１へ出力し、多機能周辺装置１の記録設定情報メモリ１５ｂに格納された記録設定情報を書き換え、処理を終了する（Ｓ１８）。
【００５６】
このようにすれば、記録設定情報メモリ１５ｂに記憶された出力設定情報を書き換えることができ、好適な設定で意匠データを出力することができる。例えば、多機能周辺装置１の販売時に、店頭において、印刷のデモンストレーションを行う場合、印刷解像度を落としてでも印刷スピードを上げて、印刷スピードの点から顧客にアピールしたい場合がある。このような場合、多機能周辺装置１にＰＣ３５を接続し、上述した記録設定情報変更処理（図３参照）により、記録設定情報を書き換える。これにより、販売地域や客層に応じて記録設定を臨機応変に変更することができる。従来は、意匠データが、データ構造が複雑なｐｒｎデータで構成されていたため、記録設定情報のみを容易に変更することができなかったのである。なお、図３に示す記録設定情報変更処理は、ＰＣ３５のハードディスク３９に格納された記録設定情報（バックアップデータ）を変更し、その変更された記録設定情報で、記録設定情報メモリ１５ｂを書き換えるものであったが、ＰＣ３５が、記録設定情報メモリ１５ｂに格納された記録設定情報を直接読み出して書き換えるものであってもよい。
【００５７】
次に、図４〜図６を参照して、本発明の画像処理装置の第２実施例について説明する。上述した第１実施例では、記録設定情報メモリ１５ｂには、複数の意匠データに関して共通に用いられる１組の記録設定情報が記憶され、複数の意匠データは、共通の記録設定情報に従って出力されるものであった。この第２実施例の多機能周辺装置１においては、複数の意匠データは、それぞれ個別の記録設定情報と対応付けて記憶されており、その対応付けられた記録設定情報に従った設定で、それぞれの意匠データが出力される点が第１実施例と異なる。なお、この第２実施例において、上記した第１実施例と同一の部分には同一の符号を付して、その説明を省略する。
【００５８】
図４は、第２実施例における意匠データと、記録設定情報との構成を模式的に示した図である。図４に示すように、第２実施例においては、１つの意匠データメモリ１１５ａに格納された１つの意匠データと１つの記録設定情報メモリ１１５ｂに格納された記録設定情報とが対となって一組のデータを構成する。意匠データと記録設定情報とが対とされたこれらのデータは、ＥＥＰＲＯＭ１３に複数組記憶される。また、図４に示すように、記録設定情報メモリ１１５ｂは、意匠データメモリ１１５ａに記憶された意匠データのヘッダに相当する領域に記録設定情報を記憶する。なお、記録設定情報メモリ１１５ｂには、記録設定情報として、記録媒体（記録用紙）の厚さ選択、記録媒体の種類選択、記録媒体のサイズ選択、印刷解像度選択、液滴量選択、余白設定、トレイ選択、赤色補正、緑色補正、青色補正、コントラスト補正、明るさ補正、原色数、印刷方向に関する情報から構成される一組の記録設定情報が記憶される。
【００５９】
図５を参照して、第２実施例の多機能周辺装置１における意匠印刷処理について説明する。図５は、第２実施例の意匠印刷処理を示すフローチャートであり、図２に示すフローチャートに相当する図である。第２実施例の意匠印刷処理では、第１実施例の意匠印刷処理のＳ４、Ｓ６の処理に代えてＳ２４、Ｓ２６の処理が実行される以外は、上記した第１実施例の意匠印刷処理（図２参照）と同じである。
【００６０】
第１実施例の意匠印刷処理においては、出力指示がされた意匠データが読み出されて解凍されていた。これに対し、第２実施例における意匠印刷処理では、出力が指示された意匠データが、その意匠データと対応付けられた記録設定情報と共に読み出される（図４参照）。そして、読み出したデータから、記録設定情報を分離し、意匠データ（ＪＰＥＧデータ）のみを解凍する（Ｓ２４）。具体的には、読み出したデータの先頭アドレスを、記録設定情報分をオフセットすることにより、読み出したデータのうち、意匠データのみを解凍する。
【００６１】
また、第１実施例の意匠印刷処理においては、記録設定情報メモリ１５ｂから共通の記録設定情報が読み出され、その共通の記録設定情報を参照して印刷コマンドが発行されていた（図２のＳ６参照）。これに対し、第２実施例における意匠印刷処理では、Ｓ２４の処理において読み出された記録設定情報（すなわち、解凍された意匠データのヘッダに相当する領域に記憶された記録設定情報）を参照して印刷コマンドを発行する（Ｓ２６）。したがって、第２実施例の意匠印刷処理によれば、複数の意匠データのそれぞれに、その意匠データに対応した個別の印刷コマンドが発行される。
【００６２】
このようにすれば、複数の意匠データを、その意匠データに対応した出力設定情報に従った設定で出力することができ、より好適な設定で複数の意匠データを出力することができる。例えば、印刷特性を使用者等に認識させるためのデモ画像は、カラーで出力されることが望ましいが、大部分が文字から構成される機能案内リストやオーダーフォームは白黒で出力されることが望ましいなど、各意匠データにとって好ましい記録設定情報がある場合がある。そのような場合、予め意匠データのヘッダに相当する領域に、それぞれ最適な記録設定情報を記憶させておくことにより、好適な設定で各意匠データを出力することができる。
【００６３】
図６を参照して、第２実施例における記録設定情報変更処理について説明する。図６は、第２実施例の記録設定情報変更処理を示すフローチャートであり、図３に示すフローチャートに相当する図である。第２実施例の記録設定情報変更処理では、第１実施例の記録設定情報変更処理のＳ１８の処理に代えてＳ３８の処理が実行される以外は、上記した第１実施例の記録設定情報変更処理（図３参照）と同じである。
【００６４】
第１実施例の記録設定情報変更処理においては、変更された記録設定情報のみが多機能周辺装置１へ出力され、記録設定情報メモリ１５ｂが書き換えられていた（図３参照）。これに対し、第２実施例の記録設定情報変更処理においては、変更した記録設定情報が、その記録設定情報に従った設定で印刷すべき意匠データと連結されて、多機能周辺装置１へ出力され、一組の意匠データメモリ１１５ａと記録設定情報メモリ１１５ｂとを書き換える（Ｓ３８）。このようにすれば、意匠データと記録設定情報とが対となっている場合においても、簡単に記録設定情報を書き換えることができる。
【００６５】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００６６】
例えば、本実施例では、意匠データをプリンタ２５に出力する場合を説明したが、ＬＣＤ５に、デモ画像、機能案内リストなどの各種意匠を表示する場合においても本発明を適用することができる。この場合、記録設定情報メモリ１５ｂ、１１５ｂには、第１実施例および第２実施例において説明した記録設定情報に加えて、表示設定情報（請求項の出力設定情報に相当）が記憶される。表示設定情報としては、例えば、「データ画素数Ｘ座標」、「データ画素数Ｙ座標」、「回転角度」、「赤色補正」、「緑色補正」、「青色補正」、「コントラスト補正」、「明るさ補正」、「原色数」が該当する。「データ画素数Ｘ座標」、「データ画素数Ｙ座標」は、表示装置において表示される際の画像の大きさに相当する値であって、意匠データの出力の際には、これらの値に応じて、意匠データに対し、拡大または縮小処理が施される。「回転角度」は、表示装置において表示される際の意匠データの回転角度に相当する値であって、意匠データの出力の際には、この値に基づいて、意匠データに対し、回転処理が施される。また、「赤色補正」、「緑色補正」、「青色補正」、「コントラスト補正」、「明るさ補正」とは、表示装置における表示に先立って、意匠データに色補正処理を行う際に使用されるパラメータに相当する情報である。「原色数」は、表示装置における表示に使用される色数に相当する値である。「階調数」とは、意匠データの階調数に相当する情報であり、濃淡のある画像に使用される情報である。
【００６７】
また、上述の第１実施例および第２実施例においては、意匠データ記憶手段１５ａに記憶される意匠データはＪＰＥＧデータで構成されていたが、ＴＩＦＦデータ、ＰＤＦデータのいずれかで構成されるものであっても良い。
【００６８】
また、上述の第１実施例および第２実施例においては、画像処理装置の一形態である多機能周辺装置１を例に挙げて説明したが、ファクシミリ機能を有さず印刷機能のみを有する印刷装置、または、表示機能のみを有する表示装置についても、本発明を適用することができる。
【００６９】
また、上述の第１実施例において、複数の意匠データの出力に共通して用いられる一組の記録設定情報が、記録設定情報メモリ１５ｂに記憶されていたが、複数組の記録設定情報が記録設定情報メモリ１５ｂに記憶されているものであってもよい。その場合は、いずれの記録設定情報で意匠データを出力すべきかを使用者に選択させるように構成してもよい。または、複数の意匠データに対し、その意匠データの出力には、いずれの記録設定情報が用いられるべきかを予め記憶させておいてもよい。このようにすれば、複数の意匠データを、それぞれの用途に応じた好適な設定で出力することができる。
【００７０】
また、上述の第１実施例および第２実施例では、ＰＣ３５を用いて、記録設定情報を書き換える記録設定情報変更処理について説明したが、意匠データも、書き換え可能なＥＥＰＲＯＭ１５に格納されているので、記録設定情報と同様の方法で書き換えることができる。意匠データを書き換えることにより、例えば、デモ画像を流行に合わせて変更したり、機能案内リストやオーダーフォームに変更や修正を施すことが容易にできる。
【図面の簡単な説明】
【００７１】
【図１】第１実施例の多機能周辺装置と、多機能周辺装置に接続されたＰＣとの電気的構成を示したブロック図である。
【図２】第１実施例の意匠印刷処理を示すフローチャートである。
【図３】第１実施例の記録設定情報変更処理を示すフローチャートである。
【図４】第２実施例における意匠データと、記録設定情報との構成を模式的に示した図である。
【図５】第２実施例の意匠印刷処理を示すフローチャートである。
【図６】第２実施例の記録設定情報変更処理を示すフローチャートである。
【図７】（ａ）は、デモ画像の一例を示す図であり、（ｂ）は、機能案内リストの一例を示す図であり、（ｃ）は、オーダーフォームの一例を示す図である。
【符号の説明】
【００７２】
１            多機能周辺装置（画像処理装置）
５            ＬＣＤ（表示手段）
１５          ＥＥＰＲＯＭ（意匠データ記憶手段）
１５ａ        意匠データ記憶メモリ（意匠データ記憶手段の一部）
１５ｂ        記録設定情報メモリ（出力設定情報手段）
２５          プリンタ（印刷手段）
１１５ａ      意匠データ記憶メモリ（意匠データ記憶手段の一部）
１１５ｂ      記録設定情報メモリ（出力設定情報手段）
Ｓ４，Ｓ２４  解凍手段
Ｓ８          出力手段
【図１】
2007030248.tif 000003
【図２】
2007030248.tif 000004
【図３】
2007030248.tif 000005
【図４】
2007030248.tif 000006
【図５】
2007030248.tif 000007
【図６】
2007030248.tif 000008
【図７】
2007030248.tif 000009